(57)【要約】  ドーム型カメラ（１）は、レンズ焦点を調整可能なレンズ部（５）と、レンズ部（５）を覆うドームカバー（４）と、ドームカバー（４）と光学的に等価な特性を有する擬似カバー（７）とを備える。擬似カバー（７）は、レンズ部（５）に設けられる回転軸を中心にして、レンズ部（５）の光軸上に配置されるレンズ焦点調整位置から、レンズ部（５）の光軸上から退避した退避位置へ向けて回動可能である。レンズ焦点調整作業をするときには、擬似カバー（７）をレンズ焦点調整位置に配置して、レンズ焦点の調整を行う。そして、レンズ焦点調整作業が終了したら、擬似カバー（７）を退避位置まで回動させてレンズ部（５）の光軸上から退避させ、ドームカバー（４）を被せる。これにより、簡素で安価な構成によって、レンズ焦点の調整作業の作業性を向上することのできるドーム型カメラが提供される。
2010029727.tif 000002
【特許請求の範囲】
【請求項１】
レンズ焦点を調整可能なレンズ部と、前記レンズ部を覆うドームカバーと、前記ドームカバーと光学的に等価な特性を有する擬似カバーと、を備え、
前記擬似カバーは、前記レンズ部の光軸上に配置されるレンズ焦点調整位置から、前記レンズ部の光軸上から退避した退避位置へ向けて回動可能であることを特徴とするドーム型カメラ。
【請求項２】
前記擬似カバーは、前記レンズ部に設けられる回転軸を中心にして、前記レンズ部の先端に取り付けられ、
前記回転軸は、前記ドームカバーの中心から前記レンズ部の先端側にオフセットした位置に配置されていることを特徴とする請求項１に記載のドーム型カメラ。
【請求項３】
前記レンズ焦点調整位置において、前記擬似カバーは前記ドームカバーと同じ位置または前記ドームカバーより外側に配置されていることを特徴とする請求項１に記載のドーム型カメラ。
【請求項４】
前記レンズ焦点調整位置において、前記擬似カバーは前記ドームカバーの位置より内側に配置されており、
前記擬似カバーの厚さは、前記ドームカバーより薄く設定され、前記擬似カバーの曲率半径は、前記ドームカバーより小さく設定されていることを特徴とする請求項１に記載のドーム型カメラ。
【請求項５】
前記レンズ部には、前記回転軸の位置に軸穴が設けられており、
前記擬似カバーは、前記軸穴に挿入される軸ピンを備え、前記軸穴を介して前記レンズ部に回動可能に支持されていることを特徴とする請求項１に記載のドーム型カメラ。
【請求項６】
前記擬似カバーおよび前記レンズ部の一方には、ロックピンが設けられており、
前記擬似カバーおよび前記レンズ部の他方には、前記レンズ焦点調整位置において前記ロックピンが係合する調整位置ロック穴と、前記退避位置において前記ロックピンが係合する退避位置ロック穴とが設けられていることを特徴とする請求項１に記載のドーム型カメラ。
【請求項７】
前記レンズ部は、チルト回動可能なカメラユニットに備えられており、
前記回転軸は、前記レンズ部の光軸上に配置されており、
前記退避位置は、前記カメラユニットのチルト回動方向に沿って前記レンズ部の光軸上から両側に回動させた位置にそれぞれ設けられていることを特徴とする請求項１に記載のドーム側カメラ。
【請求項８】
前記レンズ部は、チルト回動可能なカメラユニットに備えられており、
前記回転軸は、前記カメラユニットのチルト回動面上において前記レンズ部の光軸上から一方にオフセットした位置に配置されており、
前記退避位置は、前記カメラユニットのチルト回動方向に沿って前記レンズ部の光軸上から前記一方とは反対側に向けて回動させた位置に設けられていることを特徴とする請求項１に記載のドーム側カメラ。
【発明の詳細な説明】
【技術分野】
【０００１】
本発明は、ドームカバーを備えたドーム型カメラに関し、特に、レンズ焦点の調整作業の作業性を向上させる技術に関するものである。
【背景技術】
【０００２】
従来、施設や建物内の監視を行うためのカメラとして、ドームカバーを備えたドーム型カメラが用いられている。このドーム型カメラでは、ドームカバーでカメラを覆うことによって、カメラが外部から保護されている。【０００３】
近年、低コスト化の要請から、ドーム型カメラのレンズとして、手動でレンズ焦点を調整する機能を備えた簡易型のレンズ（例えばバリフォーカルレンズなど）が使用されている。バリフォーカルレンズのレンズ焦点調整作業は、ドーム型カメラの設置作業の際に、ドームカバーを外した状態で、ユーザ（作業者）が焦点調整用レバーを手動で操作することにより行われる。そして、バリフォーカルレンズのレンズ焦点調整作業が終了した後、ユーザはドームカバーをカメラに被せる。【０００４】
しかしながら、従来のドーム型カメラでは、レンズ焦点調整作業によって適切なレンズ焦点に合わせられていたとしても、そのレンズにドームカバーを被せると、ドームカバー自体のレンズ効果によってレンズ焦点シフトが発生し（図１１参照）、カメラ映像にボケが発生してしまう。したがって、ユーザは、自らの経験を頼りにレンズ焦点シフトを考慮しながらレンズ焦点調整作業をする必要があった。そして、一旦レンズ焦点の調整をした後、ドームカバーを被せてみたときにボケが発生していれば再度微調整を行うという試行錯誤を繰り返していた。【０００５】
そこで、従来、このようなレンズ焦点シフトを補正するためのレンズ補正テーブルを備えた撮像装置が提案されている（例えば特許文献１）。この従来の撮像装置では、ドームカバーを外した状態でユーザがボタン操作を行うことにより、焦点調整用のモータが駆動してレンズ焦点が調整される。そして、レンズ焦点の調整後にドームカバーを被せると、レンズ補正テーブルを参照してレンズ焦点の微修正が行われる。この微修正は、焦点調整用のモータが駆動することにより行われる。このような従来の撮像装置では、テーブル記憶用のメモリや焦点調整用のモータやこれらの制御ユニットなどの部品（高価な部品）が必要になり、低コスト化の要請に反することになる。しかも、レンズ補正テーブルを用いてレンズ焦点シフトの補正を適切に行うためには、テーブルのパラメータとして、焦点距離や倍率だけではなく、レンズの種類や被写体までの距離なども考慮する必要がある。このような様々なパラメータを含めるようにすると、レンズ補正テーブルのデータ量が膨大になり、その結果、レンズ補正テーブルの記憶用メモリとして大容量のメモリ（高価なメモリ）が必要になり、低コスト化を実現することが困難になる。
【先行技術文献】
【特許文献】
【０００６】
【特許文献１】特開２００７−６３９７号公報
【発明の概要】
【発明が解決しようとする課題】
【０００７】
本発明は、上記背景の下でなされたものである。本発明の目的は、簡素で安価な構成によって、レンズ焦点の調整作業の作業性を向上することのできるドーム型カメラを提供することにある。
【課題を解決するための手段】
【０００８】
本発明の一の態様は、ドーム型カメラであり、このドーム型カメラは、レンズ焦点を調整可能なレンズ部と、レンズ部を覆うドームカバーと、ドームカバーと光学的に等価な特性を有する擬似カバーと、を備え、擬似カバーは、レンズ部の光軸上に配置されるレンズ焦点調整位置から、レンズ部の光軸上から退避した退避位置へ向けて回動可能である。【０００９】
以下に説明するように、本発明には他の態様が存在する。したがって、この発明の開示は、本発明の一部の態様の提供を意図しており、ここで記述され請求される発明の範囲を制限することは意図していない。
【図面の簡単な説明】
【００１０】
【図１】図１は、本実施の形態のドーム型カメラの主要な構成を示す分解斜視図
【図２】図２は、本実施の形態のドーム型カメラの全体を示す斜視図
【図３】図３は、擬似カバーをレンズ焦点調整位置にした状態の斜視図
【図４】図４は、擬似カバーをレンズ焦点調整位置にした状態を側面からみたときの説明図
【図５】図５は、擬似カバーを退避位置にした状態の斜視図
【図６】図６は、擬似カバーを退避位置にした状態を側面からみたときの説明図
【図７】図７は、カメラユニットをチルトさせたときの説明図
【図８】図８は、他の実施の形態のドーム型カメラの説明図
【図９】図９は、さらに他の実施の形態のドーム型カメラ（擬似カバーをレンズ焦点調整位置にした状態）の説明図
【図１０】図１０は、さらに他の実施の形態のドーム型カメラ（擬似カバーを退避位置にした状態）の説明図
【図１１】図１１は、ドームカバーのレンズ効果を示すグラフ
【発明を実施するための形態】
【００１１】
以下に本発明の詳細な説明を述べる。ただし、以下の詳細な説明と添付の図面は発明を限定するものではない。代わりに、発明の範囲は添付の請求の範囲により規定される。
【００１２】
本発明のドーム型カメラは、レンズ焦点を調整可能なレンズ部と、レンズ部を覆うドームカバーと、ドームカバーと光学的に等価な特性を有する擬似カバーと、を備え、擬似カバーは、レンズ部の光軸上に配置されるレンズ焦点調整位置から、レンズ部の光軸上から退避した退避位置へ向けて回動可能である構成を有している。
【００１３】
この構成により、レンズ焦点調整作業をするときには、擬似カバーをレンズ焦点調整位置（レンズ部の光軸上）に配置して、レンズ焦点の調整を行う。そして、レンズ焦点調整作業が終了したら、擬似カバーを退避位置まで回動させてレンズ部の光軸上から退避させる。この場合、擬似カバーはドームカバーと光学的に等価な特性を有しているので、擬似カバーを用いたレンズ焦点調整作業でレンズ焦点が適切に調整されていれば、ドームカバーを被せた後に、従来のようにレンズ焦点シフトを考慮した微調整をする必要がなくなる。これにより、ドーム型カメラの設置現場でのレンズ焦点調整作業が容易になる。また、この擬似カバーは、従来の部品（テーブル記憶用のメモリや焦点調整用のモータやこれらの制御ユニットなど）に比べて簡素で安価な構成であり、低コスト化の要請にも応えることができる。
【００１４】
また、本発明のドーム型カメラでは、擬似カバーは、レンズ部に設けられる回転軸を中心にして、レンズ部の先端に取り付けられ、回転軸は、ドームカバーの中心からレンズ部の先端側にオフセットした位置に配置された構成を有してよい。
【００１５】
この構成により、擬似カバーは、レンズ部の先端側にオフセットした回転軸を中心にして、レンズ部の先端においてコンパクトに回動することが可能になる。この場合、回転軸をレンズ部の先端側にオフセットさせた分だけ、擬似カバーの回転半径は小さくなる。これにより、ドームカバーの内側の限られた空間に、擬似カバーをコンパクトに収納することが可能になる。したがって、例えば、擬似カバーをドームカバーの内部に保管しておくことが可能になる。
【００１６】
また、本発明のドーム型カメラでは、レンズ焦点調整位置において、擬似カバーはドームカバーと同じ位置またはドームカバーより外側に配置され構成を有してよい。
【００１７】
この構成により、擬似カバーをレンズ焦点調整位置にしたままで誤ってドームカバーを被せようとすると、擬似カバーとドームカバーが干渉する。これにより、擬似カバーを退避位置に回動せずに（レンズ焦点調整位置にしたままで）誤ってドームカバーを被せてしまうのを防止することができる。
【００１８】
また、本発明のドーム型カメラでは、レンズ焦点調整位置において、擬似カバーはドームカバーの位置より内側に配置されており、擬似カバーの厚さは、ドームカバーより薄く設定され、擬似カバーの曲率半径は、ドームカバーより小さく設定された構成を有してよい。
【００１９】
この構成により、擬似カバーの光学的な特性（ドームカバーと等価な光学的な特性）を維持しつつ、擬似カバーをよりコンパクトに設計することができる。
【００２０】
また、本発明のドーム型カメラでは、レンズ部には、回転軸の位置に軸穴が設けられており、擬似カバーは、軸穴に挿入される軸ピンを備え、軸穴を介してレンズ部に回動可能に支持された構成を有してよい。
【００２１】
この構成により、レンズ部の軸穴を中心（回転軸）にしてレンズ焦点調整位置から退避位置まで回動できるように、擬似カバーをレンズ部に支持させることができる。なお、この軸穴は、レンズ部に直接設けられてもよく、軸穴を有する別部材をレンズ部に取り付けることによって設けられてもよい。
【００２２】
また、本発明のドーム型カメラでは、擬似カバーおよびレンズ部の一方には、ロックピンが設けられており、擬似カバーおよびレンズ部の他方には、レンズ焦点調整位置においてロックピンが係合する調整位置ロック穴と、退避位置においてロックピンが係合する退避位置ロック穴とが設けられている構成を有してよい。
【００２３】
この構成により、擬似カバーをレンズ焦点調整位置にしたときには、ロックピンが調整位置ロック穴に係合して、擬似カバーの位置決めが行われる。また、擬似カバーを退避位置にしたときには、ロックピンが退避位置ロック穴に係合して、擬似カバーの位置決めが行われる。これにより、レンズ焦点調整位置と退避位置への擬似カバーの位置決めが容易になり、レンズ焦点調整作業の作業性が向上する。
【００２４】
また、本発明のドーム型カメラでは、レンズ部は、チルト回動可能なカメラユニットに備えられており、回転軸は、レンズ部の光軸上に配置されており、退避位置は、カメラユニットのチルト回動方向に沿ってレンズ部の光軸上から両側に回動させた位置にそれぞれ設けられた構成を有してよい。
【００２５】
この構成により、ドーム型カメラの設置作業において、カメラユニットを一方にチルト回動させたときには、レンズ焦点調整作業の終了後に、擬似カバーをカメラユニットのチルト回動方向と反対側の退避位置に回動させる。これにより、カメラユニットをチルト回動させたときに、擬似カバーが他の部品と接触する（干渉する）のを避けることができ、コンパクトな収納が可能になる。
【００２６】
また、本発明のドーム型カメラでは、レンズ部は、チルト回動可能なカメラユニットに備えられており、回転軸は、カメラユニットのチルト回動面上においてレンズ部の光軸上から一方にオフセットした位置に配置されており、退避位置は、カメラユニットのチルト回動方向に沿ってレンズ部の光軸上から一方とは反対側に向けて回動させた位置に設けられた構成を有してよい。
【００２７】
この構成により、回転軸をレンズ部の光軸上からオフセットさせた分だけ、擬似カバーの回転半径を大きくすることができ、また、退避位置にした状態では擬似カバーをコンパクトに収納することができる。したがって、例えば、擬似カバーのレンズ焦点調整位置をドームカバーと同じ位置するために、擬似カバーの回転半径を大きく設計する必要がある場合であっても、擬似カバーを退避位置まで回動させた状態ではコンパクトな収納が可能になる。
【００２８】
本発明は、レンズ焦点調整位置から退避位置へ回動可能な擬似カバーを設けることにより、簡素で安価な構成によって、レンズ焦点の調整作業の作業性を向上することができる。
【００２９】
以下、本発明の実施の形態のドーム型カメラについて、図面を用いて説明する。本実施の形態では、施設や建物の壁や天井に設置される監視カメラ等に用いられるドーム型カメラの場合を例示する。
【００３０】
本実施の形態のドーム型カメラの構成を、図１および図２を用いて説明する。図１は、ドーム型カメラの主要な構成を示す分解斜視図であり、図２は、ドーム型カメラの全体を示す斜視図である。図１および図２に示すように、ドーム型カメラ１は、壁や天井に取り付けられるベース部２と、ベース部２の上にチルト回動可能かつパン回動可能に取り付けられるカメラユニット３と、カメラユニット３を覆うドームカバー４を備えている。なお、図１では図示が省略されているが、ベース部２には上カバー２０が被せられており（図２参照）、このドーム型カメラ１は、ドームカバー４と上カバー２０によって全体的に保護されている。
【００３１】
カメラユニット３は、レンズ焦点を調節可能なレンズ部５を備えている。本実施の形態のレンズ部５は、焦点調整用レバー６を手動で操作してレンズ焦点を調整するバリフォーカルレンズである。図２に示すように、このレンズ部５の先端には、擬似カバー７が保持リング８を介して回動可能に取り付けられている。後述するように、この擬似カバー７は、レンズ部５の光軸上に配置されるレンズ焦点調整位置（図３および図４参照）から、レンズ部５の光軸上から退避した退避位置（図５および図６参照）へ向けて回動可能である。本実施の形態では、レンズ焦点調整位置において、擬似カバー７はドームカバー４と同じ位置に配置されている（図４参照）。また、退避位置は、カメラユニット３のチルト回動方向に沿ってレンズ部５の光軸上から約９０度回動させた両側の位置にそれぞれ設けられている（図７参照）。
【００３２】
この擬似カバー７は、ドームカバー４と光学的に等価な特性を有している。上述のように、本実施の形態では、擬似カバー７は、レンズ焦点調整位置においてドームカバー４と同じ位置に配置される。したがって、この場合、擬似カバー７は、ドームカバー４と同じ材料で製造され、ドームカバー４と同じ厚さや曲率半径で設計されている。また、この擬似カバー７は、異なる厚さや異なる曲率半径や異なる材料であってもドームカバーと等価な光学特性を持つものであれば良い。
【００３３】
擬似カバー７の両端部には、一対の支持片９が下側（図１における下側）に向けて設けられている。この一対の支持片９の先端の内側面には、それぞれ軸ピン１０が内側に向けて突出して設けられている。一方、保持リング８の外側面には、一対の軸穴１１が設けられている。擬似カバー７は、軸ピン１０を軸穴１１に挿入することによって、保持リング８に回動可能に支持されている。この場合、擬似カバー７が回動可能に取り付けられた保持リング８をレンズ部５に取り付けることによって、擬似カバー７がレンズ部５に回動可能に取り付けられている。つまり、保持リング８をレンズ部５に取り付けることによって、軸穴１１がレンズ部５に設けられているともいえる。また、この場合、軸穴１１の位置を中心にして擬似カバー７が回転するため、この軸穴１１の位置が擬似カバー７の回動軸の位置である。したがって、保持リング８をレンズ部５に取り付けることによって、レンズ部５に回動軸が設けられているともいえる。そして、図４に示すように、この回転軸Ｘ（軸穴１１）は、レンズ部５の光軸Ｌ上において、ドームカバー４の中心Ｐからレンズ部５の先端側（図４における上側）にオフセットした位置に配置されている。
【００３４】
また、擬似カバー７の一対の支持片９の内側面には、軸ピン１０よりも根端側（図１における上側）の位置に、それぞれロックピン１２が内側に向けて突出して設けられている。そして、保持リング８の外側面には、軸穴１１の上側（図１における上側）の位置に、レンズ焦点調整位置においてロックピン１２が係合する調整位置ロック穴１３が設けられており、軸穴１１の両側（図１における左右両側）の位置に、退避位置においてロックピン１２が係合する二つの退避位置ロック穴１４が設けられている。
【００３５】
以上のように構成されたドーム型カメラ１について、図３〜図７を用いてその動作を説明する。
【００３６】
本実施の形態のドーム型カメラ１の設置作業を行うときには、まず、ドームカバー４を外した状態で、ユーザはレンズ焦点調整作業を行う。このとき、ユーザは、図３および図４に示すように、擬似カバー７をレンズ焦点調整位置にした状態で、焦点調整用レバー６を手動で操作して、レンズ部５の焦点を合わせる作業を行う。この焦点合わせ作業は、例えば、カメラの合焦点表示（図示せず）などの作業用ガイダンスに基づいて行うことができる。
【００３７】
レンズ焦点調整作業が終了すると、ユーザは、図５および図６に示すように、擬似カバー７を退避位置まで回動させて、ドームカバー４をカメラユニット３に被せる。なお、カメラユニット３をチルト回動させてカメラの撮影方向を調整したときには、カメラユニット３をチルト回動させた方向と反対側の退避位置に擬似カバー７を回動させる。例えば、図７（ａ）に示すように、カメラユニット３を一方に（図７における左側に）チルト回動させてカメラの撮影方向を調整したときには、カメラユニット３のチルト回動方向と反対側（図７における右側）の退避位置に擬似カバー７を回動させる。また、図７（ｂ）に示すように、カメラユニット３を他方に（図７における右側に）チルト回動させてカメラの撮影方向を調整したときには、カメラユニット３のチルト回動方向と反対側（図７における左側）の退避位置に擬似カバー７を回動させる。
【００３８】
このような本実施の形態のドーム型カメラ１によれば、レンズ焦点調整位置から退避位置へ回動可能な擬似カバー７を設けることにより、簡素で安価な構成によって、レンズ焦点の調整作業の作業性を向上することができる。
【００３９】
すなわち、本実施の形態では、レンズ焦点調整作業をするときには、図３および図４に示すように、擬似カバー７をレンズ焦点調整位置（レンズ部５の光軸上）に配置して、レンズ焦点の調整を行う。そして、レンズ焦点調整作業が終了したら、図５および図６に示すように、擬似カバー７を退避位置まで回動させてレンズ部５の光軸上から退避させ、ドーム型カメラ１の撮影視野から外れるようにする。この場合、擬似カバー７はドームカバー４と光学的に等価な特性を有しているので、擬似カバー７を用いたレンズ焦点調整作業でレンズ焦点が適切に調整されていれば、従来のようにレンズ焦点シフトを考慮した微調整をする必要がなくなる。これにより、ドーム型カメラ１の設置現場でのレンズ焦点調整作業が容易になる。また、この擬似カバー７は、従来の部品（テーブル記憶用のメモリや焦点調整用のモータやこれらの制御ユニットなど）に比べて簡素で安価な構成であり、低コスト化の要請にも応えることができる。
【００４０】
また、本実施の形態では、擬似カバー７は、レンズ部５の先端側にオフセットした回転軸を中心にして、レンズ部５の先端においてコンパクトに回動することが可能である（図６参照）。この場合、回転軸をレンズ部５の先端側にオフセットさせた分だけ、擬似カバー７の回転半径は小さくなる。これにより、ドームカバー４の内部の限られた空間に、擬似カバー７をコンパクトに収納することが可能になる。したがって、例えば、擬似カバー７をドームカバー４の内部に保管しておくことが可能になる。
【００４１】
また、本実施の形態では、擬似カバー７をレンズ焦点調整位置にしたままで誤ってドームカバー４を被せようとすると、擬似カバー７とドームカバー４が干渉する（図４参照）。これにより、擬似カバー７を退避位置に回動せずに（レンズ焦点調整位置にしたままで）誤ってドームカバー４を被せてしまうのを防止することができる。
【００４２】
また、本実施の形態では、レンズ部５の軸穴１１を中心（回転軸）にしてレンズ焦点調整位置から退避位置まで回動できるように、擬似カバー７をレンズ部５に支持させることができる。なお、この軸穴１１は、本実施の形態のように、軸穴１１を有する保持リング８をレンズ部５に取り付けることによって設けられてもよく、また、レンズ部５に直接設けられてもよい。
【００４３】
また、本実施の形態では、擬似カバー７をレンズ焦点調整位置にしたときには、ロックピン１２が調整位置ロック穴１３に係合して、擬似カバー７の位置決めが行われる（図４参照）。また、擬似カバー７を退避位置にしたときには、ロックピン１２が退避位置ロック穴１４に係合して、擬似カバー７の位置決めが行われる（図６参照）。これにより、レンズ焦点調整位置と退避位置への擬似カバー７の位置決めが容易になり、レンズ焦点調整作業の作業性が向上する。
【００４４】
また、本実施の形態では、図７に示すように、ドーム型カメラ１の設置作業において、カメラユニット３を一方にチルト回動させたときには、レンズ焦点調整作業の終了後に、擬似カバー７をカメラユニット３のチルト回動方向と反対側の退避位置に回動させる。これにより、カメラユニット３をチルト回動させたときに、擬似カバー７が他の部品と接触する（干渉する）のを避けることができ、コンパクトな収納が可能になる。
【００４５】
以上、本発明の実施の形態を例示により説明したが、本発明の範囲はこれらに限定されるものではなく、請求項に記載された範囲内において目的に応じて変更・変形することが可能である。
【００４６】
例えば、以上の説明では、レンズ焦点調整位置において、擬似カバー７がドームカバー４と同じ位置に配置された例について説明したが、本発明の範囲はこれに限定されるものではない。図８に示すように、擬似カバー７は、ドームカバー４の位置より内側に配置されてもよい。その場合には、擬似カバー７の厚さは、ドームカバー４より薄く設定され、擬似カバー７の曲率半径は、ドームカバー４より小さく設定される。これにより、擬似カバー７の光学的な特性（ドームカバー４と等価な光学的な特性）を維持しつつ、擬似カバー７をよりコンパクトに設計することができる。
【００４７】
また、本実施の形態では、レンズ焦点調整位置において、擬似カバー７がドームカバー４と同じ位置に配置された例について説明したが、本発明の範囲はこれに限定されるものではなく、擬似カバー７は、ドームカバー４の位置より外側に配置されてもよい。その場合にも、擬似カバーをレンズ焦点調整位置にしたままで誤ってドームカバーを被せようとすると、擬似カバーとドームカバーが干渉し、擬似カバーを退避位置に回動せずに（レンズ焦点調整位置にしたままで）誤ってドームカバーを被せてしまうのを防止することができる。
【００４８】
また、図９に示すように、擬似カバー７の回転軸Ｘは、カメラユニット３のチルト回動面上（図９における紙面上）においてレンズ部５の光軸Ｌ上から一方に（図９における左側に）オフセットした位置に配置されてもよい。この場合、擬似カバー７の退避位置は、図１０に示すように、カメラユニット３のチルト回動方向に沿ってレンズ部５の光軸上から一方とは反対側（図１０における右側）に向けて回動させた位置に設けられる。
【００４９】
これにより、回転軸をレンズ部５の光軸上からオフセットさせた分だけ、擬似カバー７の回転半径を大きくすることができ、また、退避位置にした状態では擬似カバー７をコンパクトに収納することができる。したがって、例えば、擬似カバー７のレンズ焦点調整位置をドームカバー４と同じ位置するために、擬似カバー７の回転半径を大きく設計する必要がある場合であっても、擬似カバー７を退避位置まで回動させた状態ではコンパクトな収納が可能になる。
【００５０】
また、擬似カバー７の材質をスモーク材料にしても良い。擬似カバー７をスモーク材料にすることで、焦点を合わせる際にアイリスを開いた状態（被写界深度を浅くした状態）でフォーカス位置を調整することができる。被写界深度を浅くした状態でフォーカス位置が調整されるので、フォーカス位置の位置合わせの精度が向上する。そのため、夜間やスモーク等の遮光性のあるドームカバーが取り付けられることにより監視カメラの撮像素子に入射される光量が低下したとしても、フォーカスボケの発生を抑制することができる。なお、このように光量が低下する場合も、本発明では「光学的に等価」に含まれる。
【００５１】
なお、本実施の形態では、擬似カバー７にロックピン１２を設け、レンズ部５に退避位置ロック穴１４を設けているが、本発明の範囲はこれに限定されるものではなく、擬似カバー７にロック穴を設け、レンズ部５にロックピンを設けてもよい。
【００５２】
また、本実施の形態では、擬似カバー７をレンズ部５に取り付ける構造になっているが、レンズ部５の部分を開口しつつ、カメラ内部の構造を見えないように覆うインナーカバー（図示せず）の開口部に擬似カバー７を移動可能に取り付けてもよい。
【００５３】
以上に現時点で考えられる本発明の好適な実施の形態を説明したが、本実施の形態に対して多様な変形が可能なことが理解され、そして、本発明の真実の精神と範囲内にあるそのようなすべての変形を添付の請求の範囲が含むことが意図されている。
【産業上の利用可能性】
【００５４】
以上のように、本発明にかかるドーム型カメラは、簡素で安価な構成によって、レンズ焦点の調整作業の作業性を向上することができるという効果を有し、施設や建物の壁や天井などに設置される監視カメラ等として有用である。
【符号の説明】
【００５５】
１  ドーム型カメラ
３  カメラユニット
４  ドームカバー
５  レンズ部
７  擬似カバー
８  保持リング
９  支持片
１０  軸ピン
１１  軸穴
１２  ロックピン
１３  調整位置ロック穴
１４  退避位置ロック穴
【図１】
2010029727.tif 000003
【図２】
2010029727.tif 000004
【図３】
2010029727.tif 000005
【図４】
2010029727.tif 000006
【図５】
2010029727.tif 000007
【図６】
2010029727.tif 000008
【図７】
2010029727.tif 000009
【図８】
2010029727.tif 000010
【図９】
2010029727.tif 000011
【図１０】
2010029727.tif 000012
【図１１】
2010029727.tif 000013
【手続補正書】
【提出日】平成22年10月19日(2010.10.19)
【手続補正１】
【補正対象書類名】明細書
【補正対象項目名】全文
【補正方法】変更
【補正の内容】
【発明の詳細な説明】
【技術分野】
【０００１】
本発明は、ドームカバーを備えたドーム型カメラに関し、特に、レンズ焦点の調整作業の作業性を向上させる技術に関するものである。
【背景技術】
【０００２】
従来、施設や建物内の監視を行うためのカメラとして、ドームカバーを備えたドーム型カメラが用いられている。このドーム型カメラでは、ドームカバーでカメラを覆うことによって、カメラが外部から保護されている。
【０００３】
近年、低コスト化の要請から、ドーム型カメラのレンズとして、手動でレンズ焦点を調整する機能を備えた簡易型のレンズ（例えばバリフォーカルレンズなど）が使用されている。バリフォーカルレンズのレンズ焦点調整作業は、ドーム型カメラの設置作業の際に、ドームカバーを外した状態で、ユーザ（作業者）が焦点調整用レバーを手動で操作することにより行われる。そして、バリフォーカルレンズのレンズ焦点調整作業が終了した後、ユーザはドームカバーをカメラに被せる。
【０００４】
しかしながら、従来のドーム型カメラでは、レンズ焦点調整作業によって適切なレンズ焦点に合わせられていたとしても、そのレンズにドームカバーを被せると、ドームカバー自体のレンズ効果によってレンズ焦点シフトが発生し（図１１参照）、カメラ映像にボケが発生してしまう。したがって、ユーザは、自らの経験を頼りにレンズ焦点シフトを考慮しながらレンズ焦点調整作業をする必要があった。そして、一旦レンズ焦点の調整をした後、ドームカバーを被せてみたときにボケが発生していれば再度微調整を行うという試行錯誤を繰り返していた。
【０００５】
そこで、従来、このようなレンズ焦点シフトを補正するためのレンズ補正テーブルを備えた撮像装置が提案されている（例えば特許文献１）。この従来の撮像装置では、ドームカバーを外した状態でユーザがボタン操作を行うことにより、焦点調整用のモータが駆動してレンズ焦点が調整される。そして、レンズ焦点の調整後にドームカバーを被せると、レンズ補正テーブルを参照してレンズ焦点の微修正が行われる。この微修正は、焦点調整用のモータが駆動することにより行われる。このような従来の撮像装置では、テーブル記憶用のメモリや焦点調整用のモータやこれらの制御ユニットなどの部品（高価な部品）が必要になり、低コスト化の要請に反することになる。しかも、レンズ補正テーブルを用いてレンズ焦点シフトの補正を適切に行うためには、テーブルのパラメータとして、焦点距離や倍率だけではなく、レンズの種類や被写体までの距離なども考慮する必要がある。このような様々なパラメータを含めるようにすると、レンズ補正テーブルのデータ量が膨大になり、その結果、レンズ補正テーブルの記憶用メモリとして大容量のメモリ（高価なメモリ）が必要になり、低コスト化を実現することが困難になる。
【先行技術文献】
【特許文献】
【０００６】
【特許文献１】特開２００７−６３９７号公報
【発明の概要】
【発明が解決しようとする課題】
【０００７】
本発明は、上記背景の下でなされたものである。本発明の目的は、簡素で安価な構成によって、レンズ焦点の調整作業の作業性を向上することのできるドーム型カメラを提供することにある。
【課題を解決するための手段】
【０００８】
本発明の一の態様は、ドーム型カメラであり、このドーム型カメラは、レンズ焦点を調整可能なレンズ部と、レンズ部を覆うドームカバーと、ドームカバーと光学的に等価な特性を有する擬似カバーと、を備え、擬似カバーは、レンズ部の光軸上に配置されるレンズ焦点調整位置から、レンズ部の光軸上から退避した退避位置へ向けて回動可能である。
【０００９】
以下に説明するように、本発明には他の態様が存在する。したがって、この発明の開示は、本発明の一部の態様の提供を意図しており、ここで記述され請求される発明の範囲を制限することは意図していない。
【図面の簡単な説明】
【００１０】
【図１】図１は、本実施の形態のドーム型カメラの主要な構成を示す分解斜視図
【図２】図２は、本実施の形態のドーム型カメラの全体を示す斜視図
【図３】図３は、擬似カバーをレンズ焦点調整位置にした状態の斜視図
【図４】図４は、擬似カバーをレンズ焦点調整位置にした状態を側面からみたときの説明図
【図５】図５は、擬似カバーを退避位置にした状態の斜視図
【図６】図６は、擬似カバーを退避位置にした状態を側面からみたときの説明図
【図７】図７は、カメラユニットをチルトさせたときの説明図
【図８】図８は、他の実施の形態のドーム型カメラの説明図
【図９】図９は、さらに他の実施の形態のドーム型カメラ（擬似カバーをレンズ焦点調整位置にした状態）の説明図
【図１０】図１０は、さらに他の実施の形態のドーム型カメラ（擬似カバーを退避位置にした状態）の説明図
【図１１】図１１は、ドームカバーのレンズ効果を示すグラフ
【発明を実施するための形態】
【００１１】
以下に本発明の詳細な説明を述べる。ただし、以下の詳細な説明と添付の図面は発明を限定するものではない。代わりに、発明の範囲は添付の請求の範囲により規定される。
【００１２】
本発明のドーム型カメラは、レンズ焦点を調整可能なレンズ部と、レンズ部を覆うドームカバーと、ドームカバーと光学的に等価な特性を有する擬似カバーと、を備え、擬似カバーは、レンズ部の光軸上に配置されるレンズ焦点調整位置から、レンズ部の光軸上から退避した退避位置へ向けて回動可能である構成を有している。
【００１３】
この構成により、レンズ焦点調整作業をするときには、擬似カバーをレンズ焦点調整位置（レンズ部の光軸上）に配置して、レンズ焦点の調整を行う。そして、レンズ焦点調整作業が終了したら、擬似カバーを退避位置まで回動させてレンズ部の光軸上から退避させる。この場合、擬似カバーはドームカバーと光学的に等価な特性を有しているので、擬似カバーを用いたレンズ焦点調整作業でレンズ焦点が適切に調整されていれば、ドームカバーを被せた後に、従来のようにレンズ焦点シフトを考慮した微調整をする必要がなくなる。これにより、ドーム型カメラの設置現場でのレンズ焦点調整作業が容易になる。また、この擬似カバーは、従来の部品（テーブル記憶用のメモリや焦点調整用のモータやこれらの制御ユニットなど）に比べて簡素で安価な構成であり、低コスト化の要請にも応えることができる。
【００１４】
また、本発明のドーム型カメラでは、擬似カバーは、レンズ部に設けられる回転軸を中心にして、レンズ部の先端に取り付けられ、回転軸は、ドームカバーの中心からレンズ部の先端側にオフセットした位置に配置された構成を有してよい。
【００１５】
この構成により、擬似カバーは、レンズ部の先端側にオフセットした回転軸を中心にして、レンズ部の先端においてコンパクトに回動することが可能になる。この場合、回転軸をレンズ部の先端側にオフセットさせた分だけ、擬似カバーの回転半径は小さくなる。これにより、ドームカバーの内側の限られた空間に、擬似カバーをコンパクトに収納することが可能になる。したがって、例えば、擬似カバーをドームカバーの内部に保管しておくことが可能になる。
【００１６】
また、本発明のドーム型カメラでは、レンズ焦点調整位置において、擬似カバーはドームカバーと同じ位置またはドームカバーより外側に配置され構成を有してよい。
【００１７】
この構成により、擬似カバーをレンズ焦点調整位置にしたままで誤ってドームカバーを被せようとすると、擬似カバーとドームカバーが干渉する。これにより、擬似カバーを退避位置に回動せずに（レンズ焦点調整位置にしたままで）誤ってドームカバーを被せてしまうのを防止することができる。
【００１８】
また、本発明のドーム型カメラでは、レンズ焦点調整位置において、擬似カバーはドームカバーの位置より内側に配置されており、擬似カバーの厚さは、ドームカバーより薄く設定され、擬似カバーの曲率半径は、ドームカバーより小さく設定された構成を有してよい。
【００１９】
この構成により、擬似カバーの光学的な特性（ドームカバーと等価な光学的な特性）を維持しつつ、擬似カバーをよりコンパクトに設計することができる。
【００２０】
また、本発明のドーム型カメラでは、レンズ部には、回転軸の位置に軸穴が設けられており、擬似カバーは、軸穴に挿入される軸ピンを備え、軸穴を介してレンズ部に回動可能に支持された構成を有してよい。
【００２１】
この構成により、レンズ部の軸穴を中心（回転軸）にしてレンズ焦点調整位置から退避位置まで回動できるように、擬似カバーをレンズ部に支持させることができる。なお、この軸穴は、レンズ部に直接設けられてもよく、軸穴を有する別部材をレンズ部に取り付けることによって設けられてもよい。
【００２２】
また、本発明のドーム型カメラでは、擬似カバーおよびレンズ部の一方には、ロックピンが設けられており、擬似カバーおよびレンズ部の他方には、レンズ焦点調整位置においてロックピンが係合する調整位置ロック穴と、退避位置においてロックピンが係合する退避位置ロック穴とが設けられている構成を有してよい。
【００２３】
この構成により、擬似カバーをレンズ焦点調整位置にしたときには、ロックピンが調整位置ロック穴に係合して、擬似カバーの位置決めが行われる。また、擬似カバーを退避位置にしたときには、ロックピンが退避位置ロック穴に係合して、擬似カバーの位置決めが行われる。これにより、レンズ焦点調整位置と退避位置への擬似カバーの位置決めが容易になり、レンズ焦点調整作業の作業性が向上する。
【００２４】
また、本発明のドーム型カメラでは、レンズ部は、チルト回動可能なカメラユニットに備えられており、回転軸は、レンズ部の光軸上に配置されており、退避位置は、カメラユニットのチルト回動方向に沿ってレンズ部の光軸上から両側に回動させた位置にそれぞれ設けられた構成を有してよい。
【００２５】
この構成により、ドーム型カメラの設置作業において、カメラユニットを一方にチルト回動させたときには、レンズ焦点調整作業の終了後に、擬似カバーをカメラユニットのチルト回動方向と反対側の退避位置に回動させる。これにより、カメラユニットをチルト回動させたときに、擬似カバーが他の部品と接触する（干渉する）のを避けることができ、コンパクトな収納が可能になる。
【００２６】
また、本発明のドーム型カメラでは、レンズ部は、チルト回動可能なカメラユニットに備えられており、回転軸は、カメラユニットのチルト回動面上においてレンズ部の光軸上から一方にオフセットした位置に配置されており、退避位置は、カメラユニットのチルト回動方向に沿ってレンズ部の光軸上から一方とは反対側に向けて回動させた位置に設けられた構成を有してよい。
【００２７】
この構成により、回転軸をレンズ部の光軸上からオフセットさせた分だけ、擬似カバーの回転半径を大きくすることができ、また、退避位置にした状態では擬似カバーをコンパクトに収納することができる。したがって、例えば、擬似カバーのレンズ焦点調整位置をドームカバーと同じ位置するために、擬似カバーの回転半径を大きく設計する必要がある場合であっても、擬似カバーを退避位置まで回動させた状態ではコンパクトな収納が可能になる。
【００２８】
本発明は、レンズ焦点調整位置から退避位置へ回動可能な擬似カバーを設けることにより、簡素で安価な構成によって、レンズ焦点の調整作業の作業性を向上することができる。
【００２９】
以下、本発明の実施の形態のドーム型カメラについて、図面を用いて説明する。本実施の形態では、施設や建物の壁や天井に設置される監視カメラ等に用いられるドーム型カメラの場合を例示する。
【００３０】
本実施の形態のドーム型カメラの構成を、図１および図２を用いて説明する。図１は、ドーム型カメラの主要な構成を示す分解斜視図であり、図２は、ドーム型カメラの全体を示す斜視図である。図１および図２に示すように、ドーム型カメラ１は、壁や天井に取り付けられるベース部２と、ベース部２の上にチルト回動可能かつパン回動可能に取り付けられるカメラユニット３と、カメラユニット３を覆うドームカバー４を備えている。なお、図１では図示が省略されているが、ベース部２には上カバー２０が被せられており（図２参照）、このドーム型カメラ１は、ドームカバー４と上カバー２０によって全体的に保護されている。
【００３１】
カメラユニット３は、レンズ焦点を調節可能なレンズ部５を備えている。本実施の形態のレンズ部５は、焦点調整用レバー６を手動で操作してレンズ焦点を調整するバリフォーカルレンズである。図２に示すように、このレンズ部５の先端には、擬似カバー７が保持リング８を介して回動可能に取り付けられている。後述するように、この擬似カバー７は、レンズ部５の光軸上に配置されるレンズ焦点調整位置（図３および図４参照）から、レンズ部５の光軸上から退避した退避位置（図５および図６参照）へ向けて回動可能である。本実施の形態では、レンズ焦点調整位置において、擬似カバー７はドームカバー４と同じ位置に配置されている（図４参照）。また、退避位置は、カメラユニット３のチルト回動方向に沿ってレンズ部５の光軸上から約９０度回動させた両側の位置にそれぞれ設けられている（図７参照）。
【００３２】
この擬似カバー７は、ドームカバー４と光学的に等価な特性を有している。上述のように、本実施の形態では、擬似カバー７は、レンズ焦点調整位置においてドームカバー４と同じ位置に配置される。したがって、この場合、擬似カバー７は、ドームカバー４と同じ材料で製造され、ドームカバー４と同じ厚さや曲率半径で設計されている。また、この擬似カバー７は、異なる厚さや異なる曲率半径や異なる材料であってもドームカバーと等価な光学特性を持つものであれば良い。
【００３３】
擬似カバー７の両端部には、一対の支持片９が下側（図１における下側）に向けて設けられている。この一対の支持片９の先端の内側面には、それぞれ軸ピン１０が内側に向けて突出して設けられている。一方、保持リング８の外側面には、一対の軸穴１１が設けられている。擬似カバー７は、軸ピン１０を軸穴１１に挿入することによって、保持リング８に回動可能に支持されている。この場合、擬似カバー７が回動可能に取り付けられた保持リング８をレンズ部５に取り付けることによって、擬似カバー７がレンズ部５に回動可能に取り付けられている。つまり、保持リング８をレンズ部５に取り付けることによって、軸穴１１がレンズ部５に設けられているともいえる。また、この場合、軸穴１１の位置を中心にして擬似カバー７が回転するため、この軸穴１１の位置が擬似カバー７の回動軸の位置である。したがって、保持リング８をレンズ部５に取り付けることによって、レンズ部５に回動軸が設けられているともいえる。そして、図４に示すように、この回転軸Ｘ（軸穴１１）は、レンズ部５の光軸Ｌ上において、ドームカバー４の中心Ｐからレンズ部５の先端側（図４における上側）にオフセットした位置に配置されている。
【００３４】
また、擬似カバー７の一対の支持片９の内側面には、軸ピン１０よりも根端側（図１における上側）の位置に、それぞれロックピン１２が内側に向けて突出して設けられている。そして、保持リング８の外側面には、軸穴１１の上側（図１における上側）の位置に、レンズ焦点調整位置においてロックピン１２が係合する調整位置ロック穴１３が設けられており、軸穴１１の両側（図１における左右両側）の位置に、退避位置においてロックピン１２が係合する二つの退避位置ロック穴１４が設けられている。
【００３５】
以上のように構成されたドーム型カメラ１について、図３〜図７を用いてその動作を説明する。
【００３６】
本実施の形態のドーム型カメラ１の設置作業を行うときには、まず、ドームカバー４を外した状態で、ユーザはレンズ焦点調整作業を行う。このとき、ユーザは、図３および図４に示すように、擬似カバー７をレンズ焦点調整位置にした状態で、焦点調整用レバー６を手動で操作して、レンズ部５の焦点を合わせる作業を行う。この焦点合わせ作業は、例えば、カメラの合焦点表示（図示せず）などの作業用ガイダンスに基づいて行うことができる。
【００３７】
レンズ焦点調整作業が終了すると、ユーザは、図５および図６に示すように、擬似カバー７を退避位置まで回動させて、ドームカバー４をカメラユニット３に被せる。なお、カメラユニット３をチルト回動させてカメラの撮影方向を調整したときには、カメラユニット３をチルト回動させた方向と反対側の退避位置に擬似カバー７を回動させる。例えば、図７（ａ）に示すように、カメラユニット３を一方に（図７における左側に）チルト回動させてカメラの撮影方向を調整したときには、カメラユニット３のチルト回動方向と反対側（図７における右側）の退避位置に擬似カバー７を回動させる。また、図７（ｂ）に示すように、カメラユニット３を他方に（図７における右側に）チルト回動させてカメラの撮影方向を調整したときには、カメラユニット３のチルト回動方向と反対側（図７における左側）の退避位置に擬似カバー７を回動させる。
【００３８】
このような本実施の形態のドーム型カメラ１によれば、レンズ焦点調整位置から退避位置へ回動可能な擬似カバー７を設けることにより、簡素で安価な構成によって、レンズ焦点の調整作業の作業性を向上することができる。
【００３９】
すなわち、本実施の形態では、レンズ焦点調整作業をするときには、図３および図４に示すように、擬似カバー７をレンズ焦点調整位置（レンズ部５の光軸上）に配置して、レンズ焦点の調整を行う。そして、レンズ焦点調整作業が終了したら、図５および図６に示すように、擬似カバー７を退避位置まで回動させてレンズ部５の光軸上から退避させ、ドーム型カメラ１の撮影視野から外れるようにする。この場合、擬似カバー７はドームカバー４と光学的に等価な特性を有しているので、擬似カバー７を用いたレンズ焦点調整作業でレンズ焦点が適切に調整されていれば、従来のようにレンズ焦点シフトを考慮した微調整をする必要がなくなる。これにより、ドーム型カメラ１の設置現場でのレンズ焦点調整作業が容易になる。また、この擬似カバー７は、従来の部品（テーブル記憶用のメモリや焦点調整用のモータやこれらの制御ユニットなど）に比べて簡素で安価な構成であり、低コスト化の要請にも応えることができる。
【００４０】
また、本実施の形態では、擬似カバー７は、レンズ部５の先端側にオフセットした回転軸を中心にして、レンズ部５の先端においてコンパクトに回動することが可能である（図６参照）。この場合、回転軸をレンズ部５の先端側にオフセットさせた分だけ、擬似カバー７の回転半径は小さくなる。これにより、ドームカバー４の内部の限られた空間に、擬似カバー７をコンパクトに収納することが可能になる。したがって、例えば、擬似カバー７をドームカバー４の内部に保管しておくことが可能になる。
【００４１】
また、本実施の形態では、擬似カバー７をレンズ焦点調整位置にしたままで誤ってドームカバー４を被せようとすると、擬似カバー７とドームカバー４が干渉する（図４参照）。これにより、擬似カバー７を退避位置に回動せずに（レンズ焦点調整位置にしたままで）誤ってドームカバー４を被せてしまうのを防止することができる。
【００４２】
また、本実施の形態では、レンズ部５の軸穴１１を中心（回転軸）にしてレンズ焦点調整位置から退避位置まで回動できるように、擬似カバー７をレンズ部５に支持させることができる。なお、この軸穴１１は、本実施の形態のように、軸穴１１を有する保持リング８をレンズ部５に取り付けることによって設けられてもよく、また、レンズ部５に直接設けられてもよい。
【００４３】
また、本実施の形態では、擬似カバー７をレンズ焦点調整位置にしたときには、ロックピン１２が調整位置ロック穴１３に係合して、擬似カバー７の位置決めが行われる（図４参照）。また、擬似カバー７を退避位置にしたときには、ロックピン１２が退避位置ロック穴１４に係合して、擬似カバー７の位置決めが行われる（図６参照）。これにより、レンズ焦点調整位置と退避位置への擬似カバー７の位置決めが容易になり、レンズ焦点調整作業の作業性が向上する。
【００４４】
また、本実施の形態では、図７に示すように、ドーム型カメラ１の設置作業において、カメラユニット３を一方にチルト回動させたときには、レンズ焦点調整作業の終了後に、擬似カバー７をカメラユニット３のチルト回動方向と反対側の退避位置に回動させる。これにより、カメラユニット３をチルト回動させたときに、擬似カバー７が他の部品と接触する（干渉する）のを避けることができ、コンパクトな収納が可能になる。
【００４５】
以上、本発明の実施の形態を例示により説明したが、本発明の範囲はこれらに限定されるものではなく、請求項に記載された範囲内において目的に応じて変更・変形することが可能である。
【００４６】
例えば、以上の説明では、レンズ焦点調整位置において、擬似カバー７がドームカバー４と同じ位置に配置された例について説明したが、本発明の範囲はこれに限定されるものではない。図８に示すように、擬似カバー７は、ドームカバー４の位置より内側に配置されてもよい。その場合には、擬似カバー７の厚さは、ドームカバー４より薄く設定され、擬似カバー７の曲率半径は、ドームカバー４より小さく設定される。これにより、擬似カバー７の光学的な特性（ドームカバー４と等価な光学的な特性）を維持しつつ、擬似カバー７をよりコンパクトに設計することができる。
【００４７】
また、本実施の形態では、レンズ焦点調整位置において、擬似カバー７がドームカバー４と同じ位置に配置された例について説明したが、本発明の範囲はこれに限定されるものではなく、擬似カバー７は、ドームカバー４の位置より外側に配置されてもよい。その場合にも、擬似カバーをレンズ焦点調整位置にしたままで誤ってドームカバーを被せようとすると、擬似カバーとドームカバーが干渉し、擬似カバーを退避位置に回動せずに（レンズ焦点調整位置にしたままで）誤ってドームカバーを被せてしまうのを防止することができる。
【００４８】
また、図９に示すように、擬似カバー７の回転軸Ｘは、カメラユニット３のチルト回動面上（図９における紙面上）においてレンズ部５の光軸Ｌ上から一方に（図９における左側に）オフセットした位置に配置されてもよい。この場合、擬似カバー７の退避位置は、図１０に示すように、カメラユニット３のチルト回動方向に沿ってレンズ部５の光軸上から一方とは反対側（図１０における右側）に向けて回動させた位置に設けられる。
【００４９】
これにより、回転軸をレンズ部５の光軸上からオフセットさせた分だけ、擬似カバー７の回転半径を大きくすることができ、また、退避位置にした状態では擬似カバー７をコンパクトに収納することができる。したがって、例えば、擬似カバー７のレンズ焦点調整位置をドームカバー４と同じ位置するために、擬似カバー７の回転半径を大きく設計する必要がある場合であっても、擬似カバー７を退避位置まで回動させた状態ではコンパクトな収納が可能になる。
【００５０】
また、擬似カバー７の材質をスモーク材料にしても良い。擬似カバー７をスモーク材料にすることで、焦点を合わせる際にアイリスを開いた状態（被写界深度を浅くした状態）でフォーカス位置を調整することができる。被写界深度を浅くした状態でフォーカス位置が調整されるので、フォーカス位置の位置合わせの精度が向上する。そのため、夜間やスモーク等の遮光性のあるドームカバーが取り付けられることにより監視カメラの撮像素子に入射される光量が低下したとしても、フォーカスボケの発生を抑制することができる。なお、このように光量が低下する場合も、本発明では「光学的に等価」に含まれる。
【００５１】
なお、本実施の形態では、擬似カバー７にロックピン１２を設け、レンズ部５に退避位置ロック穴１４を設けているが、本発明の範囲はこれに限定されるものではなく、擬似カバー７にロック穴を設け、レンズ部５にロックピンを設けてもよい。
【００５２】
また、本実施の形態では、擬似カバー７をレンズ部５に取り付ける構造になっているが、レンズ部５の部分を開口しつつ、カメラ内部の構造を見えないように覆うインナーカバー（図示せず）の開口部に擬似カバー７を移動可能に取り付けてもよい。
【００５３】
以上に現時点で考えられる本発明の好適な実施の形態を説明したが、本実施の形態に対して多様な変形が可能なことが理解され、そして、本発明の真実の精神と範囲内にあるそのようなすべての変形を添付の請求の範囲が含むことが意図されている。
【産業上の利用可能性】
【００５４】
以上のように、本発明にかかるドーム型カメラは、簡素で安価な構成によって、レンズ焦点の調整作業の作業性を向上することができるという効果を有し、施設や建物の壁や天井などに設置される監視カメラ等として有用である。
【符号の説明】
【００５５】
１  ドーム型カメラ
３  カメラユニット
４  ドームカバー
５  レンズ部
７  擬似カバー
８  保持リング
９  支持片
１０  軸ピン
１１  軸穴
１２  ロックピン
１３  調整位置ロック穴
１４  退避位置ロック穴
【手続補正２】
【補正対象書類名】特許請求の範囲
【補正対象項目名】全文
【補正方法】変更
【補正の内容】
【特許請求の範囲】
【請求項１】
レンズ焦点を調整可能なレンズ部と、前記レンズ部を覆うドームカバーと、前記ドームカバーと光学的に等価な特性を有する擬似カバーと、を備え、
前記擬似カバーは、前記レンズ部の光軸上に配置されるレンズ焦点調整位置から、前記レンズ部の光軸上から退避した退避位置へ向けて回動可能であることを特徴とするドーム型カメラ。
【請求項２】
前記擬似カバーは、前記レンズ部に設けられる回転軸を中心にして、前記レンズ部の先端に取り付けられ、
前記回転軸は、前記ドームカバーの中心から前記レンズ部の先端側にオフセットした位置に配置されていることを特徴とする請求項１に記載のドーム型カメラ。
【請求項３】
前記レンズ焦点調整位置において、前記擬似カバーは前記ドームカバーと同じ位置または前記ドームカバーより外側に配置されていることを特徴とする請求項１または２に記載のドーム型カメラ。
【請求項４】
前記レンズ焦点調整位置において、前記擬似カバーは前記ドームカバーの位置より内側に配置されており、
前記擬似カバーの厚さは、前記ドームカバーより薄く設定され、前記擬似カバーの曲率半径は、前記ドームカバーより小さく設定されていることを特徴とする請求項１〜３のいずれかに記載のドーム型カメラ。
【請求項５】
前記レンズ部には、前記回転軸の位置に軸穴が設けられており、
前記擬似カバーは、前記軸穴に挿入される軸ピンを備え、前記軸穴を介して前記レンズ部に回動可能に支持されていることを特徴とする請求項１〜４のいずれかに記載のドーム型カメラ。
【請求項６】
前記擬似カバーおよび前記レンズ部の一方には、ロックピンが設けられており、
前記擬似カバーおよび前記レンズ部の他方には、前記レンズ焦点調整位置において前記ロックピンが係合する調整位置ロック穴と、前記退避位置において前記ロックピンが係合する退避位置ロック穴とが設けられていることを特徴とする請求項１〜５のいずれかに記載のドーム型カメラ。
【請求項７】
前記レンズ部は、チルト回動可能なカメラユニットに備えられており、
前記回転軸は、前記レンズ部の光軸上に配置されており、
前記退避位置は、前記カメラユニットのチルト回動方向に沿って前記レンズ部の光軸上から両側に回動させた位置にそれぞれ設けられていることを特徴とする請求項１〜６のいずれかに記載のドーム側カメラ。
【請求項８】
前記レンズ部は、チルト回動可能なカメラユニットに備えられており、
前記回転軸は、前記カメラユニットのチルト回動面上において前記レンズ部の光軸上から一方にオフセットした位置に配置されており、
前記退避位置は、前記カメラユニットのチルト回動方向に沿って前記レンズ部の光軸上から前記一方とは反対側に向けて回動させた位置に設けられていることを特徴とする請求項１〜７のいずれかに記載のドーム側カメラ。
【手続補正３】
【補正対象書類名】図面
【補正対象項目名】全図
【補正方法】変更
【補正の内容】
【図１】
2010029727.tif 000014
【図２】
2010029727.tif 000015
【図３】
2010029727.tif 000016
【図４】
2010029727.tif 000017
【図５】
2010029727.tif 000018
【図６】
2010029727.tif 000019
【図７】
2010029727.tif 000020
【図８】
2010029727.tif 000021
【図９】
2010029727.tif 000022
【図１０】
2010029727.tif 000023
【図１１】
2010029727.tif 000024
【国際調査報告】
2010029727.tif 000025
2010029727.tif 000026
2010029727.tif 000027
2010029727.tif 000028